(57)【要約】【課題】スライドファスナーのスライダーに止水機能を発揮する部材を容易に取付ける。【解決手段】一対のエレメント列（２２）を通すエレメント通路（３７）が内部に形成されたスライダー胴体（３ｂ）であってエレメント通路の前端が分離状態の一対のエレメント列を通す一対の前口（３７ｆ）になると共にエレメント通路の後端が噛合状態の一対のエレメント列を通す後口（３７ｂ）となるスライダー胴体（３ｂ）と、スライダー胴体の上面または下面に接着されると共にスライダー胴体の前方へ向けて突出する突片（４）を備え、突片は、スライダー胴体に接着される接着部（４１）と、接着部から前方に突出する突片本体部（４２）であってスライダー胴体の前方において分離状態にある一対のエレメント列の間に形成される隙間（Ｓ）を覆う突片本体部とを備えるスライドファスナーのスライダー。【選択図】      図１
2015070961.tif 000002
【特許請求の範囲】
【請求項１】
左右のファスナーテープ（２１）の対向する側縁部に沿って取り付けられた一対のエレメント列（２２，２２）に沿って移動することで、前記一対のエレメント列（２２，２２）を噛合または分離可能なスライドファスナーのスライダーであって、
前記一対のエレメント列（２２，２２）を通すエレメント通路（３７）が内部に形成されたスライダー胴体（３ｂ）であって前記エレメント通路（３７）の前端が分離状態の前記一対のエレメント列（２２，２２）を通す一対の前口（３７ｆ，３７ｆ）になると共に前記エレメント通路（３７）の後端が噛合状態の前記一対のエレメント列（２２，２２）を通す後口（３７ｂ）となる前記スライダー胴体（３ｂ）と、前記スライダー胴体（３ｂ）の上面または下面に接着されると共に前記スライダー胴体（３ｂ）の前方へ向けて突出する突片（４）を備え、
前記突片（４）は、前記スライダー胴体（３ｂ）に接着される接着部（４１）と、前記接着部（４１）から前方に突出する突片本体部（４２）であって前記スライダー胴体（３ｂ）の前方において分離状態にある前記一対のエレメント列（２２，２２）の間に形成される隙間（Ｓ）を覆う突片本体部（４２）とを備えることを特徴とするスライドファスナーのスライダー。
【請求項２】
前記突片本体部（４２）には、前記接着部（４１）よりも前記隙間（Ｓ）に接近する面を有した接近部（４４）を備えていることを特徴とする請求項１記載のスライドファスナーのスライダー。
【請求項３】
前記スライダー胴体（３ｂ）は、その上面側には左右方向の中間部から上方へ突出する引手取付部（３５）を備え、
前記接着部（４１）は、前記引手取付部（３５）を収納すると共に前方へ向けて凹む凹部（４３）を備えることを特徴とする請求項１、又は２記載のスライドファスナーのスライダー。
【請求項４】
前記突片（４）は、平板状の弾性体であることを特徴とする請求項１、２又は３記載のスライドファスナーのスライダー。
【請求項５】
前記突片（４）は、シリコンゴム製であることを特徴とする請求項４記載のスライドファスナーのスライダー。
【請求項６】
請求項１〜５の何れかに記載のスライダー（３）を２つ備えると共に、前記２つのスライダー（３，３）の前端同士を対向する状態で配置したスライドファスナーのスライダーセットであって、
前記２つのスライダー（３，３）のうち一方の前記突片本体部（４２）は、下面としての第１重ね面（４５ａ）を備えた第１部分（４５）を有し、
前記２つのスライダー（３，３）のうち他方の前記突片本体部（４２）は、上面としての第２重ね面（４６ａ）を備えた第２部分（４６）を有し、
前記２つのスライダー（３，３）を衝突させた場合に、前記第１の重ね面（４５ａ）と前記第２の重ね面（４６ａ）が上下方向に重なり合うことを特徴とするスライドファスナーのスライダーセット。
【請求項７】
請求項１〜５の何れかに記載のスライダー（３）を２つ備えると共に、前記前記２つのスライダー（３，３）の前端を対向する状態で配置したスライドファスナーのスライダーセットであって、
前記した各スライダー（３）の突片本体部（４２）は、左右方向の一方側に、下面としての前記第１重ね面（４５ａ）を備えた前記第１部分（４５）を有すると共に、左右方向の他方側に、上面としての第２重ね面（４６ａ）を備えた第２部分（４６）を有し、
２つのスライダー（３，３）を衝突させた場合に、一方のスライダー（３）の前記第１重ね面（４５ａ）と他方のスライダー（３）の前記第２重ね面（４６ａ）が上下方向に重なり合うと共に、前記一方のスライダー（３）の前記第２重ね面（４６ａ）と前記他方のスライダー（３）の前記第１重ね面（４５ａ）が上下方向に重なり合うことを特徴とするスライドファスナーのスライダーセット。
【請求項８】
前記した各スライダー（３）は、前記第１重ね面（４５ａ）を前方へ向けて上り傾斜する上り傾斜面にしてあると共に、前記第２重ね面（４６ａ）を前方へ向けて下り傾斜する下り傾斜面にしてあることを特徴とする請求項６又は７記載のスライドファスナーのスライダーセット。
【請求項９】
前記した各スライダー（３）は、前記第２部分（４６）を前記第１部分（４５）よりも前方へ向けて突出し、左右方向において前記第２重ね面（４６ａ）の前端の幅寸法（Ｗ２）を前記第１重ね面（４５ａ）の前端の幅寸法（Ｗ１）よりも狭くしてあることを特徴とする請求項７記載のスライドファスナーのスライダーセット。
【発明の詳細な説明】
【技術分野】
【０００１】
本発明は、スライドファスナーの止水性を有するスライダー、及びスライダーセットに関する。
【背景技術】
【０００２】
スライドファスナーは、左右に対向する一対のファスナーストリンガーと、一対のファスナーストリンガーを開閉するスライダーとを主体として構成されている。そして各ファスナーストリンガーはエレメント列を備えている。これらエレメント列は、スライダーの内部に形成されたエレメント通路に通されている。エレメント通路は、前端に前口を有し、後端に後口を有する。エレメント列は、前口と後口のいずれか一方から他方に向けてエレメント通路に通される。このとき、エレメント列は、後口よりも後方ではエレメントの噛合によって一本化されているが、前口よりも前方では左右に離隔している。この為、一対のファスナーストリンガーを最大限閉じても、前口よりも前方では一対のエレメント列が僅かに左右に離れた状態、言い換えれば一対のエレメント列の間に隙間が形成された状態となっている。
【０００３】
このような隙間から水が通過することを防ぐことを目的としたスライドファスナーの先行技術として、スライダーに固定されるスライダーキャップと、スライダーキャップを収納する為のポケット状の収納部とを備え、収納部をジッパーテープの長手方向の一端部に固定するものが知られている（特許文献１）。これは、一対のジッパーテープが閉鎖する方向へスライダーを前進させ、スライダーが前進限界位置に到達すると、スライダーとその上のスライダーキャップを収納部がまとめて収容するものであり、それによって止水性を発揮するものである。スライダーキャップの構成をより詳しく言えば、スライダーキャップは、スライダーの上面を覆う胴体部と、スライダーの引手を収納するポケットであって胴体部の後方に突出するポケットと、胴体部に取り付けられる別の引手とを備えるものである。
【０００４】
またスライドファスナーには、一対のファスナーストリンガーに２つのスライダーを互いの前端が対向する状態に取り付けたものも存在する。この場合、接近させた２つのスライダーの間において一対のエレメント列の間には隙間が形成されている。この隙間から水が通過することを防ぐことを目的としたスライドファスナーの先行技術として、２つのスライダーのうち一方に止水機能を発揮する間隙隠蔽部材を射出成型により前方に突出させる状態で取り付けたものが知られている（特許文献２）。
【先行技術文献】
【特許文献】
【０００５】
【特許文献１】特開２０１１−１１５５７２号
【特許文献２】特開２００６−６１３７８号
【発明の概要】
【発明が解決しようとする課題】
【０００６】
しかし特許文献１の先行技術の場合、スライダーキャップと収納部という複数の部品があり、これら複数の部品をスライダーと、スライダー以外の物すなわちジッパーテープに別々に取り付けなければならず、取付作業が煩雑である。しかも、スライダーキャップには、スライダーへ取り付ける為に、引手を収容するポケットが必要である。また、引手を取付けに利用する関係上別の引手をスライダーキャップに取り付けなければならず、構造も複雑になる。
【０００７】
また特許文献２の先行技術の場合、スライダーへの間隙隠蔽部材の取り付けが射出成型であり、射出成型用の成型金型を要することもあって取り付けが容易とは言い難い。
【０００８】
本発明は上記実情を考慮して創作されたもので、その目的は、止水機能を発揮する部材をスライダーに容易に取り付けられるスライドファスナーのスライダーを提供することである。
【課題を解決するための手段】
【０００９】
本発明のスライドファスナーのスライダーは、左右のファスナーテープの対向する側縁部に沿って取り付けられた一対のエレメント列に沿って移動することで、一対のエレメント列を噛合または分離可能なものを前提とする。
そして本発明のスライドファスナーのスライダーは、一対のエレメント列を通すエレメント通路が内部に形成されたスライダー胴体であってエレメント通路の前端が分離状態の一対のエレメント列を通す一対の前口になると共にエレメント通路の後端が噛合状態の一対のエレメント列を通す後口となるスライダー胴体と、スライダー胴体の上面または下面に接着されると共にスライダー胴体の前方へ向けて突出する突片を備える。そして突片は、スライダー胴体に接着される接着部と、接着部から前方に突出する突片本体部であってスライダー胴体の前方において分離状態にある一対のエレメントの間に形成される隙間を覆う突片本体部とを備えることを特徴とする。
【００１０】
突片本体部の形状は、スライダー胴体から前方に突出していれば良く、例えば平板であっても良い。但し突片本体部と隙間との上下間隔を狭くして止水効果を向上させるには次のようにすることが望ましい。
すなわち突片本体部には、接着部よりも隙間に接近する面を有した接近部を備えていることである。
【００１１】
スライダー胴体の上面側に引手取付部を備え、その引手取付部に引手を取り付ける構造のスライダーの場合、引手取付部が突片を接着する際の支障になり易い。それを解消するには次のようにすることが望ましい。
すなわちスライダー胴体は、その上面側には左右方向の中間部から上方へ突出する引手取付部を備え、接着部は、引手取付部を収納すると共に前方へ向けて凹む凹部を備えることである。
【００１２】
突片の形状、硬度、原料等は限定されないが、一例としては次のものがある。
すなわち突片は、平板状の弾性体である。また突片は、シリコンゴム製である。
【００１３】
本発明のスライドファスナーのスライダーセットは、前記したスライダーを２つ備えると共に、２つのスライダーの前端同士を対向する状態で配置することを前提とする。
その上で本発明のスライドファスナーのスライダーセットは、２つのスライダーのうち一方の突片本体部は、下面としての第１重ね面を備えた第１部分を有し、２つのスライダーのうち他方の突片本体部は、上面としての第２重ね面を備えた第２部分を有するものとする。そして２つのスライダーを衝突させた場合に、第１の重ね面と第２の重ね面が上下方向に重なり合うことを特徴とする。
【００１４】
スライダーセットは、２つのスライダーを衝突させた場合に互いの突片同士が１箇所だけつまり一組の第１部分及び第２部分でのみ重なるものであっても良いが、より強く重なり合うようにするには次のようにすることが望ましい。
すなわち各スライダーの突片本体部は、左右方向の一方側に、下面としての第１重ね面を備えた第１部分を有すると共に、左右方向の他方側に、上面としての第２重ね面を備えた第２部分を有するものとする。そして２つのスライダーを衝突させた場合に、一方のスライダーの第１重ね面と他方のスライダーの第２重ね面が上下方向に重なり合うと共に、前記一方のスライダーの第２重ね面と前記他方のスライダーの第１重ね面が上下方向に重なり合うことである。
【００１５】
第１部分及び第２部分の形状は限定されず、例えば平板であっても良い。但し２つのスライダーの突片本体部を第１部分と第２部分とで重ね合わせ易くするには次のようにすることが望ましい。
すなわち各スライダーは、第１重ね面を前方へ向けて上り傾斜する上り傾斜面にしてあると共に、第２重ね面を前方へ向けて下り傾斜する下り傾斜面にしてあることである。
【００１６】
また突片本体部の左右に第１部分と第２部分とを有するスライダーの場合に、第１部分と第２部分との前方への突出長を同じくしたものであっても良いし、左右方向について第１部分と第２部分の互いの前端の幅寸法を同じにするものであっても良いが、２つのスライダーの突片本体部を重ね合わせ易くするには次のようにすることが望ましい。
すなわち各スライダーは、第２部分を第１部分よりも前方へ向けて突出し、左右方向において第２重ね面の前端の幅寸法を第１重ね面の前端の幅寸法よりも狭くしてあることである。
【発明の効果】
【００１７】
本発明のスライダーによれば、スライダー胴体の上面または下面に突片の接着部を接着するだけで、突片の取り付けが容易に行え、接着部から前方に突出する突片本体部が、スライダー胴体から前方において一対のファスナーストリンガーの間に形成される隙間を覆うので、止水性がある。
【００１８】
また突片本体部には、接着部よりも隙間に接近する面を有した接近部を備えていれば、隙間と突片本体部との間隔が狭まり、止水性が向上する。
【００１９】
さらにスライダー胴体は、その上面側には左右方向の中間部から上方へ突出する引手取付部を備え、接着部は、引手取付部を収納すると共に前方へ向けて凹む凹部を備えていれば、接着部の接着面積を引手取付部の前側及び左右にも確保できるので、より強固に突片をスライダー胴体に接着できる。
【００２０】
本発明のスライドファスナーのスライダーセットによれば、２つのスライダーのうち一方のスライダーの突片本体部には下面としての第１重ね面を備える第１部分を有し、他方のスライダーの突片本体部には上面としての第２重ね面を備える第２部分を有しており、２つのスライダーを衝突させた場合に第１部分の第１重ね面及び第２部分の第２重ね面が上下方向に重なるので、止水性がある。
【００２１】
またスライドファスナーのスライダーセットのうち、２つのスライダーの各々における突片本体部の左右に下面としての第１重ね面を備えた第１部分と上面としての第２重ね面を備えた第２部分とを有するものによれば、２つのスライダーを衝突させた場合に重なり合う形態が左右で異なるようになり、つまり重なり合いの形態が複雑となることから、より強く重なり合うことになり、止水性が向上する。
【００２２】
さらに第１重ね面を前方へ向けて上り傾斜する上り傾斜面とし、第２重ね面を前方へ向けて下り傾斜する下り傾斜面としてあれば、２つのスライダーを衝突させる際に第１重ね面と第２重ね面が円滑に重なり合う。
【００２３】
また各スライダーは第２部分を第１部分よりも前方へ向けて突出し、左右方向において第２重ね面の前端の幅寸法を第１重ね面の前端の幅寸法よりも狭くしてあるものであれば、２つのスライダーを接近させると、第１重ね面の幅狭の前端が第２重ね面の幅広の先端に接近していくので、２つのスライダーを衝突させる際に第１重ね面と第２重ね面とが円滑に重なり合う。
【図面の簡単な説明】
【００２４】
【図１】本発明の第一実施形態のスライダーの分解状態を示す斜視図である。
【図２】第一実施形態のスライダーの平面図である。
【図３】第一実施形態のスライダーの右側面図である。
【図４】第一実施形態のスライダーの背面図である。
【図５】第一実施形態のスライダーの使用状態を示す平面図である。
【図６】第一実施形態のスライダーで一対のファスナーストリンガーを閉鎖した状態を示す平面図である。
【図７】第一実施形態のスライダーの変形例における要部を示す右側面図である。
【図８】本発明の第一実施形態のスライダーにおける別の変形例を示す平面図である。
【図９】本発明の第二実施形態のスライダーを示す斜視図である。
【図１０】第二実施形態のスライダーを示す平面図である。
【図１１】第二実施形態のスライダーを示す右側面図である。
【図１２】第二実施形態のスライダーを含む本発明の第一実施形態のスライダーセットの使用状態を示す平面図である。
【図１３】第一実施形態のスライダーセットにおける双方のスライダーが接近した状態を示す平面図である。
【図１４】第一実施形態のスライダーセットにおける双方のスライダーが衝突した状態を示す平面図である。
【図１５】第一実施形態のスライダーセットにおける双方のスライダーが衝突した状態を示す右側面図である。
【図１６】第二実施形態のスライダーの変形例を示す右側面図である。
【図１７】本発明の第二実施形態のスライダーセットにおける変形例を示す右側面図である。
【発明を実施するための形態】
【００２５】
スライドファスナー１は図５に示すように防水生地９の所望の部位を開閉可能とするものであり、図示の例では防水生地９の一部に形成された開口部９１に対して取り付けられる。また開口部９１は、前後方向に延長する矩形となっている。
【００２６】
またスライドファスナー１は、前後方向を長手方向とすると共に左右方向を幅方向とする一対のファスナーストリンガー２，２と、左右に平行に並べた一対のファスナーストリンガー２，２に沿って前後方向に移動させる本発明の第一実施形態のスライダー３とを備えている。そしてスライドファスナー１は、スライダー３を前進又は後退させることにより、一対のファスナーストリンガー２，２を開閉することができる。以後、各構成要素について説明するに際して、前側とは図５の紙面に対して上側、後側とは図５の紙面に対して下側のことである。また左側とは図５の紙面に対して左側、右側とは図５の紙面に対して右側のことである。また上側とは図５の紙面に対して手前側、下側とは図５の紙面に対して奥側のことである。
【００２７】
一対のファスナーストリンガー２，２は、前後方向を長手方向とすると共に左右方向を幅方向とする２枚のファスナーテープ２１，２１であって、左右に平行に並べる２枚のファスナーテープ２１，２１と、左右のファスナーテープ２１，２１の対向する側縁部に沿って取り付けられた一対のエレメント列２２，２２と、各ファスナーテープ２１の左右側端部のうちエレメント列２２が固定された側の側端部においてエレメント列２２の前側及び後側に固定された第１及び第２の止部材２３，２４とから構成される。そして一対のエレメント列２２，２２が噛合した状態が一対のファスナーストリンガー２，２が閉じた状態であり、一対のエレメント列２２，２２が分離した状態が一対のファスナーストリンガー２，２が開いた状態である。
【００２８】
前側の第１の止部材２３は、各ファスナーテープ２１に別々に固定され、後側の第２の止部材２４は、左右のファスナーテープ２１，２１にまたがって固定されている。
【００２９】
ファスナーテープ２１は、エレメント列２２を固定（縫着）する為のテープ本体と、無孔の防水テープとを備え、テープ本体の上に防水テープを密着する状態で貼り付けたものである。またエレメント列２２は、螺旋状に連続するコイルエレメントであって、図４に示すように各ファスナーテープ２１の下面に固定されている。なおスライダー３における後述のスライダー胴体３ｂの前方であって一対のファスナーストリンガー２，２（一対のエレメント列２２，２２）の間には、隙間Ｓが形成される。
【００３０】
本発明の第一実施形態のスライダー３は、図１〜図６に示すように、スライダー本体３ａの構成要素として、一対のエレメント列２２，２２に係合すると共に前後に移動可能なスライダー胴体３ｂと、スライダー胴体３ｂの上部に備わる引手取付部３５に対して揺動自在に取り付けられる引手３ｃとを備え、スライダー本体３ａの他に、スライダー胴体３ｂの上面に接着されると共に前方に突出する突片４とを備えている。
【００３１】
スライダー胴体３ｂは、上下方向に間隔をおいて対向する上下翼板３１，３２と、上下翼板３１，３２の前部同士の対向する間を連結する連結柱３３であって一対のエレメント列２２，２２の間に挟まれる連結柱３３と、上下翼板３１，３２の少なくとも一方（図示の例では両方）の左右端部から上下翼板３１，３２の対向する間隔を狭める方向に突出するフランジ３４と、上翼板３１の上面側に突出する引手取付部３５とを備えている。引手３ｃは、引手取付部３５に対して揺動自在に取り付けられる
【００３２】
上翼板３１と下翼板３２との間には一対のエレメント列２２，２２を通過させるエレメント通路３７が前後に延長して設けられている。エレメント通路３７の後部は直線状に延長し、エレメント通路３の後端は噛合状態の一対のエレメント列２２，２２を通す後口３７ｂとなっている。一方、エレメント通路３７の前部は連結柱３３によって前方へ向かって左右に二股に分岐し、エレメント通路３７の前端は分離状態の一対のエレメント列２２，２２を通す一対の前口３７ｆ、３７ｆとなっている。つまりエレメント通路３７は全体としてＹ字状となっている。一対のファスナーストリンガー２，２を開いた状態とする時、すなわちスライダー３を後方へ移動させた時、噛み合った状態の一対のエレメント列２２,２２が後口３７ｂからエレメント通路３７内へ導入される。そして、分離した状態の一対のエレメント列２２,２２が前口３７ｆから排出される。一方、一対のファスナーストリンガー２，２を閉じた状態とする時、すなわちスライダー３を前方へ移動させた時、分離した状態の一対のエレメント列２２,２２が前口３７ｆからエレメント通路３７内へ導入される。そして、噛み合った状態の一対のエレメント列２２,２２が後口３７ｂから排出される。また上下のフランジ３４，３４同士の間は、ファスナーテープ２１を通過させるテープ溝３６となり、テープ溝３６はエレメント通路３７に連通している。
【００３３】
引手取付部３５は、スライダー胴体３ｂの上面側において左右方向の中間部から上方へ突出している。図示の例では引手取付部３５は門型形状であり、上翼板３１の上面の左右方向の中央部から上方に突出する状態で設けられている。また引手取付部３５は、上翼板３１の上面における左右方向の中間部であって前部から突出する取付前脚部３５ａと、取付前脚部３５ａの先端側から後方に延長する取付本体部３５ｂと、取付本体部３５ｂの後端から上翼板３１の上面側へ向かう取付後脚部３５ｃとを備える。図示の例では取付後脚部３５ｃの下端は、上翼板３１の上面に固定されている。なお引手取付部３５に挿通する為の孔が引手３ｃには形成されている。
【００３４】
突片４は、上翼板３１の上面に接着される接着部４１と、連結柱３３の前方の隙間Ｓを覆う為に接着部４１から上翼板３１よりも前方に突出する突片本体部４２と、引手取付部３５の取付前脚部３５ａを収納する凹部４３とを備える。
【００３５】
突片４は、平板状の弾性体であって、例えばシリコンゴムやウレタンゴム等が用いられる。上翼板３１に接着する際に２００℃程度の熱を加えて接着を強固なものにする場合には、シリコンゴムがウレタンゴムよりも耐熱性に優れる為望ましい。因みに本実施形態では、突片４にシリコンゴムを用い、スライダー本体３ａは金属製としてある。
【００３６】
突片４の後端における左右方向の中間部には前方へ凹む凹部４３を備える。凹部４３は、引手取付部３５の取付前脚部３５ａの周面に沿うように平面視してコ字状に窪んでいる。
【００３７】
接着部４１は、突片４の後部であり、上翼板３１の上面に載せて接着される部分である。また図示の例では、取付前脚部３５ａは、上翼板３１の前端よりも少し後側に固定されていることから、取付前脚部３５ａの前方及び左右には上翼板３１の上面がＵ字状に存在している。このＵ字状の上面に対応させて、接着部４１の下面はＵ字状の接着面となる。つまり接着部４１の接着面は、取付前脚部３５ａの前方及び左右を囲むようにＵ字状に形成されており、このＵ字状の前方へ窪む部分が、凹部４３であると共に接着部４１の左右方向の中間部に形成されている。
【００３８】
突片本体部４２は、突片４の前部であり、上翼板３１よりも前方に突出する部分である。図示の例では突片本体部４２の前端が円弧状に膨らむ形態となっている。
【００３９】
上記した本発明の第一実施形態のスライダー３は、次のようにして止水機能を発揮する。スライドファスナー１は、例えば図５に示すように第一実施形態のスライダー３が一対のファスナーストリンガー２，２の前後長の中間部に位置する場合、スライダー胴体３ｂよりも前方において一対のエレメント列２２，２２は左右に分離し、前後方向に長い隙間Ｓが形成される。そして第一実施形態のスライダー３の突片本体部４２がこの隙間Ｓの後端部の上方を覆っている。なお突片本体部４２は、連結柱３３の近傍においては、隙間Ｓの上方だけでなく、スライダー胴体３ｂの前方に位置するエレメント列２２の上方と、エレメント列２２の上方に位置するファスナーテープ２１の上方をも覆っている。この場合、前後方向に長い隙間Ｓの一部のみが突片本体部４２によって覆われ、隙間Ｓの大半は突片本体部４２に覆われていない状態となる。
【００４０】
そこでスライダー３を前方の限界位置まで前進させ、第１の止部材２３にスライダー３を衝突させる。このとき図６に示すようにスライダー胴体３ｂの前方において一対のファスナーテープ２１，２１の間には、前方に向かうにつれて左右の幅が狭くなる隙間Ｓが形成されている。この隙間Ｓの上側を突片本体部４２が完全に覆っている。また隙間Ｓの周辺部分における左右及び前方をも突片本体部４２が上方から覆っている。このときスライダー３の後方部分において一対のエレメント列２２，２２が噛合すると共に、一対のファスナーテープ２１が左右に突き合わさる状態となる。
【００４１】
本発明の第一実施形態のスライダー３の変形例は、図７に示すように、突片本体部４２における隙間Ｓに対向する面（下面）には、接着部４１の接着面（下面）よりも隙間Ｓに接近する面（下面）を備えた接近部４４を有していることが、第一実施形態のスライダー３と相違する。
【００４２】
突片本体部４２は、この例では平面視した場合の全領域について接着部４１よりも下方へ向かって肉厚を厚く形成してあり、その厚い部分（接着部４１よりも下側の部分）が突片本体部４２の一部としての接近部４４となる。突片本体部４２の上面と接着部４１の上面とは面一であるが、突片本体部４２の下面（接近部４４の下面）は接着部４１の下面よりも段差状に低くなっており、接近部４４の下面とファスナーテープ２１の上面との間には上下幅の狭い空間が形成されるので、止水性が向上すると共に、接近部４４とファスナーテープ２１が干渉することは無い。
【００４３】
本発明の第一実施形態のスライダー３における別の変形例は、図８に示すように、引手取付部３５をスライダー胴体３ｂの左右側面に備え、この引手取付部３５に引手３ｃを揺動自在に連結すると共に、スライダー胴体３ｂの上面の略全域を突片４の接着部４１の接着領域としていることが、第一実施形態のスライダー３と相違する。
より詳しく言えば、引手取付部３５は、上翼板３１の左右側面から側方に突出する一対の軸部３５ｈ，３５ｈである。また引手３ｃは、指で摘まむ引手本体部５１と、引手本体部５１の左右から平行に突出する一対の連結腕部５２，５２とを備えている。そして各連結腕部５２の先部には各軸部３５ｈの先部を挿入する抜孔５２ａが左右方向に貫通して形成されている。従って一対の軸部３５ｈ，３５ｈを支点として、引手３ｃはスライダー胴体３ｂの側面に揺動自在に連結されている。
またスライダー胴体３ｂの上面すなわち上翼板３１の上面は、引手取付部３ｃが無い為、全体的に平坦な面となっており、この平坦な面の略全域に対応する大きさに突片４の接着部４１は形成されている。一方、突片４の突片本体部４２は、接着部４１よりも小さく形成されている。このように上翼板３１から前方に突出する小さな突片本体部４２を大きな接着部４１で上翼板３１に接着することで、突片４はスライダー胴体３ｂの上面に安定して固定されている。
【００４４】
次に本発明の第二実施形態のスライダー３は図９〜図１４に示すように、スライダー本体３ａと突片４とを第一実施形態のスライダー３と同様に備えるが、突片４の形状及びスライダー本体３ａの形状を第一実施形態のスライダー３とは相違させるものである。そして本発明の第二実施形態のスライダー３は図１２に示すように、スライドファスナー１の一対のファスナーストリンガー２，２に対して２つ取り付けられる。詳しく言えば、２つのスライダー３は互いの前端を対向する状態、言い換えれば互いの連結柱３３を前後に対向する状態で一対のファスナーストリンガー２，２に対して取り付けられる。以後前述した相違点を説明するに際して、前側とは図１０の紙面に対して上側、後側とは図１０の紙面に対して下側のことである。また左側とは図１０の紙面に対して左側、右側とは図１０の紙面に対して右側のことである。また上側とは図１０の紙面に対して手前側、下側とは図１０の紙面に対して奥側のことである。
【００４５】
スライダー本体３ａの形状としては、上下翼板３１，３２は、前端の左辺部及び右辺部を左右に直線状に延長する形状とし、前端の左右方向の中央辺部を左辺部及び右辺部に対して前方に突出する形状としてある。
【００４６】
突片４は、上翼板３１の上面に接着される接着部４１と、接着部４１から前方に突出する突片本体部４２とを備えている。ここでの接着部４１の形状も、上翼板３１の前部に対応する形状となる。突片本体部４２は、別のスライダー３の突片本体部４２と上下方向に重なるようにする為に、左右に並んで配置された第１部分４５と第２部分４６とを備えている。図示の例では接着部４１の左側から前方に突出する部分を第１部分４５とし、接着部４１の右側から前方に突出する部分を第２部分４６としてある。また第１部分４５よりも第２部分４６は前方に突出している。
【００４７】
第１部分４５は、その下面の前部を前方へ向けて上り傾斜する上り傾斜面としている。より詳しく言えば、第１部分４５は、その下面の前部を後端から前端へ向かうにつれて徐々に上る傾斜が付いた上り傾斜面とし、この上り傾斜面を第１重ね面４５ａとする。
第２部分４６は、その上面の前部を前方へ向けて下り傾斜する下り傾斜面としている。より詳しく言えば、第２部分４６は、その上面の前部を後端から前端へ向かうにつれて徐々に下る傾斜が付いた下り傾斜面とし、この傾斜面を第２重ね面４６ａとする。
これら第１重ね面４５ａ及び第２重ね面４６ａは平板の一部分を他の部分よりも薄肉にして形成する。また第１部分４５の下面の後部、及び第１部分４５の上面は、平面としてある。第２部分４６の上面の下部、及び第２部分４６の下面も、平面としてある。
【００４８】
第１部分４５の下面としての第１重ね面４５ａは、前辺及び後辺を左右方向に平行とし、左右方向の外側の辺（図示の左辺）を前後方向に平行とし、左右方向の内側の辺（図示の右辺）を前方から後方へ向かって徐々に左右方向の外側の辺（図示の左側）へ向かうように傾斜させてある。第２部分４６の上面としての第２重ね面４６ａは、前辺及び後辺を左右方向に平行とし、左右方向の外側の辺（図示の右辺）を前後方向に平行とし、左右方向の内側の辺（図示の左辺）を、前方から後方へ向かって徐々に左右方向の外側の辺から離れる方向（図示の左側）へ向かうように傾斜させてある。しかも第２部分４６の第２重ね面４６ａを構成する左右方向の内側の辺と、第１部分４５の第１重ね面４５ａを構成する左右方向の内側の辺とは、平面視すると、左右方向に傾斜する一本の直線上に位置していることから、この直線を境界線とし、境界線の左右に第１部分４５の第１重ね面４５ａと第２部分４６の第２重ね面４６ａとが形成されている。そして第２部分４６の左右方向における内側の端面は、境界線を含むことから境界面であり、左右に傾いた面となっている。また第２部分４６の第２重ね面４６ａを構成する後辺は、第１部分４５の第１重ね面４５ａを構成する前辺よりも前側に離れて位置しているので、第２部分４６と第１部分４５は、前後に分離している。
【００４９】
なお図１２で示す一対のファスナーストリンガー２，２は、図５で示した一対のファスナーストリンガー２，２と相違する部分がある。相違部分は、各エレメント列２２を多数のエレメント２２ａによって構成した点であり、より詳しく言えば一対のファスナーテープ２１，２１の対向する側縁部に沿って前後に間隔をあけてエレメント２２ａが固定されている点である。但し一対のエレメント列２，２における左右のエレメント２２ａ，２２ａが噛合された部分は、各エレメント２２ａの左右方向の先端が対向するファスナーテープの端面に接しているので、水を通過し難い構造となっている。
【００５０】
上記した第二実施形態のスライダー３を２つで一揃えとするものが本発明の第一実施形態のスライダーセットである。図１２に示すように、一対のファスナーストリンガー２，２に対して互いの前端が対向するように２つの第二実施形態のスライダー３，３を取り付ける。２つのスライダー３,３を接近させると図１３に示すように、対向する第１部分４５と第２部分４６の組が、右側と左側にそれぞれ１つずつ、つまり２組できる。
【００５１】
各突片４は、左右方向において、第１部分４５の第１重ね面４５ａの先端（前端）の幅寸法Ｗ１よりも第２部分４６の第２重ね面４６ａの先端（前端）の幅寸法Ｗ２を狭く形成してある。しかも各組の第１部分４５と第２部分４６の関係を見ると、第２部分４６の第２重ね面４６ａにおける先端の左右方向の内端（右端）が、その第２部分４６に対向する第１部分４５の第１重ね面４５ａにおける先端の左右方向の内端（右端）よりも左右方向の外側（左側）に位置するように、各突片４における第１重ね面４５ａの先端の幅寸法Ｗ１及び第２重ね面４６ａの先端の幅寸法Ｗ２は形成されている。より詳しく言えば、各突片４は、左右方向において、第２重ね面４６ａの幅寸法が前端から後方へ向けて広くなり、第１重ね面４５ａの幅寸法が第２重ね面４６ａの幅寸法に対応させて前端から後方へ向けて狭くなっている。
【００５２】
２つのスライダー３,３をさらに接近させていくと、第１部分４５の先端に対して、その上下方向に同じ組の第２部分４６の先端が一致するように配置され、その後、各組の第１部分４５の先端部と第２部分４６の先端部とが上下方向に隙間のある状態で重なり合い、最終的には図１４、図１５に示すように各組の第１部分４５と第２部分４６とが互いの第１重ね面４５ａ及び第２重ね面４６ａで上下に隙間なく重なり合う状態となる。突片本体部４２は第一実施形態での突片本体部４２と同様に弾性体なので、弾性によって僅かに変形し、強く重なり合う状態になる。またこれら第１重ね面４５ａ，４６ａを互いに対応する傾斜角度の傾斜面としてあることから、第１部分４５と第２部分４６とが円滑に重なり合う。このように各組の第１部分４５と第２部分４６とが互いの第１重ね面４５ａと第２重ね面４６ａで隙間なく重なり合う状態が、２つのスライダー３,３が衝突した状態である。またこの衝突状態のとき、２つの突片本体部４２の境界面同士が接触する。また衝突状態のとき双方のスライダー胴体３ｂ,３ｂの間は離れており、図では示されていないが左右のエレメント列２２，２２の間には隙間Ｓが形成されている。この隙間Ｓ及びその周辺を２つの突片本体部４２が覆うことになり、止水機能を発揮する。また通常引手３ｃを上側に持ち上げるようにしてスライダー３を移動させる関係上、２つのスライダー３，３が衝突した状態では通常、一対のファスナーストリンガー２，２は２つのスライダー３，３の存在する位置で上翼板３１側（上方向）に僅かに膨らむように湾曲する形状になるものである。しかし左右の組の第１部分４５と第２部分４６とが複雑に重なることによって、一対のファスナーストリンガー２，２の湾曲形状を解消するように作用し、一対のファスナーストリンガー２，２が上下に歪むことなく噛合された状態となり、より止水効果の高いものとなる。
【００５３】
本発明の第二実施形態のスライダー３の変形例は、図１６に示すように、スライダー胴体３ｂの下面つまり下翼板３２の下面に突片４を接着してあることが、第二実施形態のスライダー３と相違することである。より詳しく言えば、このスライダー３変形例は、第二実施形態のスライダー３の突片４の上面を下翼板３２の下面に接着したものである。従ってこの第二実施形態のスライダー３の変形例も、突片４の突片本体部４２を第１部分４５と第２部分４６が左右に並んで配置されるものとし、第２部分４６が第１部分４５よりも前方に突出するものである。そしてこの第二実施形態のスライダー３の変形例を２つで一揃えとするものが本発明の第一実施形態のスライダーセットの変形例である。
【００５４】
本発明の第一実施形態のスライダーセットにおける別の変形例は、図１７に示すように、２つで一揃えとするスライダー３，３により、対向する第１部分４５と第２部分４６とを１組形成するようにしたことが、第一実施形態のスライダーセットと相違することである。より詳しく言えばこの変形例の場合、２つのうち一方のスライダー３は、下面としての第１重ね面４５ａを備える第１部分４５のみから突片本体部４２を構成し、他方のスライダー３は、上面としての第２重ね面４６ａを備える第２部分４６のみから突片本体部４２を構成するものである。
【００５５】
本発明のスライダー及びスライダーセットは上記実施形態に限定されるものではなく、その趣旨を逸脱しない範囲において適宜変更可能である。例えば、第一実施形態のスライダー３の変形例は、突片本体部４２の下面の全領域を接着部４１よりも下方へ突出させることにより、突片本体部４２の下部全部を接近部４４としてあるが、これに限らず例えば突片本体部４２の下面の一部領域のみを接着部４１よりも下方へ突出させることにより、突片本体部４２の下部の一部のみを接近部４４とするものであっても良い。また第一実施形態のスライダー３は、突片４を上翼板３１の上面に接着してあったが、第二実施形態のスライダー３の変形例のように下翼板３２の下面に接着するものであっても良い。また第一実施形態及び第二実施形態のスライダー３は、突片４を上翼板３１か下翼板３２に接着するものであったが、上翼板３１の上面と下翼板３２の下面に別々の突片４を接着するものであっても良い。
【００５６】
また第二実施形態のスライダー３は、各突片４に第１部分４５と第２部分４６とを１つずつ備えるものとし、この第二実施形態のスライダー３を２つ、互いの前端が対向する状態で一対のファスナーストリンガー２，２に取り付けることにより、対向する第１部分４５と第２部分４６との組を、２組形成したが、これに限らず、対向する第１部分４５と第２部分４６とを３組以上形成するように２つのスライダー３，３における各突片４に第１部分４５と第２部分４６とを左右に並んで配置するものとしても良い。
【００５７】
また第二実施形態のスライダー３の突片４は、左右に並んで配置した第１部分４５と第２部分４６の境界線を左右に傾斜するものとしてあるが、これに限らず例えば境界線を前後方向に平行な一直線とするように第１部分４５と第２部分４６を形成するものであっても良い。また第二実施形態のスライダー３の突片４は、第１部分４５と第２部分４６との前端を不一致（前後方向に差のある状態）としたが、これに限らず第１部分４５と第２部分４６の前端を一致するものとしても良い。
【００５８】
さらに第二実施形態のスライダー３の突片４は、第２部分４６を第１部分４５よりも前方へ突出し、左右方向において、第２部分４６の上面としての第２重ね面４６ａの幅寸法を前端から後方へ向けて広くし、第１部分４５の下面としての第１重ね面４５ａの幅寸法を第２重ね面４６ａの幅寸法に対応させて前端から後方へ向けて狭くしてあるものであったが、これに限らず第１部分４５を第２部分４６よりも前方へ突出するものとし、左右方向において、第１重ね面４５ａの幅寸法を前端から後方へ向けて広くし、第２重ね面４６ａの幅寸法を第１重ね面４５ａの幅寸法に対応させて前端から後方へ向けて狭くしてあるものであっても良い。
【００５９】
なお本発明のスライダーを取り付ける一対のファスナーストリンガー２，２は、止水性を有するものが望ましいが、止水性を有しないものであっても良い。また引手取付部３５の形状は、上翼板３１の上面から突出する場合には門型に限らず、単に直立する形状であっても良い。
【符号の説明】
【００６０】
１  スライドファスナー
２  ファスナーストリンガー
２１  ファスナーテープ
２２  エレメント列
２２ａエレメント
２３  第１の止部材
２４  第２の止部材
Ｓ  隙間
３  スライダー
３ａスライダー本体
３ｂスライダー胴体
３１  上翼板
３２  下翼板
３３  連結柱
３４  フランジ
３５  引手取付部
３５ａ取付前脚部
３５ｂ取付本体部
３５ｃ取付後脚部
３５ｈ軸部
３６  テープ溝
３７  エレメント通路
３７ｂ後口
３７ｆ前口
３ｃ引手
５１  引手本体部
５２  連結腕部
５２ａ抜孔
４  突片
４１  接着部
４２  突片本体部
４３  凹部
４４  接近部
４５  第１部分
４５ａ第１重ね面
Ｗ１第１重ね面の前端の幅寸法
４６  第２部分
４６ａ第２重ね面
Ｗ２第２重ね面の前端の幅寸法
９  防水生地
９１  開口部
【図１】
2015070961.tif 000003
【図２】
2015070961.tif 000004
【図３】
2015070961.tif 000005
【図４】
2015070961.tif 000006
【図５】
2015070961.tif 000007
【図６】
2015070961.tif 000008
【図７】
2015070961.tif 000009
【図８】
2015070961.tif 000010
【図９】
2015070961.tif 000011
【図１０】
2015070961.tif 000012
【図１１】
2015070961.tif 000013
【図１２】
2015070961.tif 000014
【図１３】
2015070961.tif 000015
【図１４】
2015070961.tif 000016
【図１５】
2015070961.tif 000017
【図１６】
2015070961.tif 000018
【図１７】
2015070961.tif 000019